(57)【要約】【課題】主に紙葉類を収納するためのホルダであって、簡易な構造で、ホルダ内の被収納物が不意な脱落をしない構成を備えるホルダを提供すること。【課題を解決するための手段】ホルダ１は、透光性を備える薄物の略矩形状シートを２枚厚に折り重ねて形成されているものであり、略矩形状の上シート１０と上シート１０に重なる下シート２０にフラップ片６を接合させるとともに、上シート１０と下シート２０とで第１閉塞部４と第２閉塞部３とを備えさせるものである。【選択図】図１
2004291370.tif 000002
【特許請求の範囲】
【請求項１】
略矩形の上シートと下シートとを重ね合わせ、上シートの直交する２側辺は、下シートと接合させて第１閉塞部を形成し、上シートの他２側辺は、第１側辺と第２側辺とで開放部を形成するホルダであって、前記上シートの第１側辺は、全長が開放された第１開放部を形成し、前記第２側辺は、第１開放部側が開放される第１開放部側側辺で第２開放部を形成するとともに、反第１開放部側は、反第１開放部側側辺で第２閉塞部を形成することを特徴とするホルダ。
【請求項２】
前記第２閉塞部は、上シートと下シートとを溶着することによって構成されていることを特徴とする請求項１記載のホルダ。
【請求項３】
前記第２閉塞部は、第２閉塞部を形成する上シートまたは下シートのいずれか一方の側辺に折り返し片を備えるとともに、この折り返し片を他方のシートの表面に折り返して重合させていることを特徴とする請求項１記載のホルダ。
【請求項４】
前記上シートの第１側辺または第１開放部側側辺は、切欠部を備えることを特徴とする請求項１ないし３記載のホルダ。
【請求項５】
前記上シートまたは下シートのうち一方のシートは、他方のシートの前記第１側辺または第２側辺よりも外側領域に突出する突出領域を備えることを特徴とする請求項１ないし４記載のホルダ。
【請求項６】
前記上シートまたは下シートの第１側辺は、フラップ片が設けられていることを特徴とする請求項１ないし５記載のホルダ。
【請求項７】
前記フラップ片は、前記下シートの第１側辺に設けられることを特徴とする請求項６記載のホルダ。
【請求項８】
前記フラップ片は、前記下シートの第１側辺と第２側辺とでなす角部から配置されているとともに、前記第１開放部に沿って伸びる形状であることを特徴とする請求項６ないし７記載のホルダ。
【発明の詳細な説明】
【０００１】
【発明の属する技術分野】
本発明は、２側辺が開放可能なホルダに関するものである。
【０００２】
【従来の技術】
従来より知られているホルダとして、例えば、特許文献１に示される形態のものが存在する。このホルダは、一対の矩形状シートを重ね合わせ、直交する２側辺を閉塞させるとともに、他２側辺は全長に亘って開放可能な構成となっている。このものは、例えば、主な被収納物に紙葉類を想定しており、一方のシートの開放可能な２側辺を開くようにして、ホルダ内部へ被収納物を前記直交する閉塞された２側辺に沿わせるように収納することができるようになっている。また、特に、被収納物が複数の紙葉類である場合、紙葉類を積層させて収納させることが通常であり、この状態で、一方のシートを捲り上げるとともに、前記他２側辺を全長に亘って開放させ、積層されている各紙葉類を１枚ずつ捲るようにしながら、各紙葉類に記載されている内容を確認したり、紙葉類の枚数を数えたりしている。
【０００３】
【特許文献１】
特開２００２−２９１９１号公報
【０００４】
【発明が解決しようとする課題】
しかしながら、前記ホルダにあっては、前記他２側辺は全長に亘って開放可能であるため、各紙葉類の記載内容を確認するときや枚数を数えるときに、被収納物である紙葉類がホルダから不意に脱落しやすい傾向がある。特に、紙葉類が多枚数である場合や、サイズが不揃いな場合、ホルダの開放された側辺の寸法に対し、収納される紙葉類がかなり小さい寸法である場合は、その紙葉類が開放された側辺から滑り落ちることが顕著となりうる。
【０００５】
本発明は、このような不具合に着目し、簡素な構造にしながら、従来のホルダでなされている、ホルダ内に積層された状態で収納されている各紙葉類の記載内容の確認や紙葉類の枚数を数えることを可能にしながら、各紙葉類がホルダから滑り落ちによる不意な脱落を軽減させるホルダを提供しようとするものである。
【０００６】
【課題を解決するための手段】
上述した課題を解決すべく、本発明では、略矩形の上シートと下シートとを重ね合わせ、上シートの直交する２側辺は、下シートと接合させて第１閉塞部を形成し、上シートの他２側辺は、第１側辺と第２側辺とで開放部を形成するホルダであって、前記上シートとの第１側辺は、全長が開放された第１開放部を形成し、前記第２側辺は、第１開放部側が開放される第１開放部側側辺で第２開放部を形成するとともに、反第１開放部側は、反第１開放部側側辺で第２閉塞部を形成する構成を採用している。このような構成にすれば、上シートを開放可能な構成を備えながら、簡易な構成により第２閉塞部を設けることができ、上シートの不意な開放を規制することができるとともに、さらに、ホルダ内に収納されている被収納物の不意な脱落を防止することができる。
【０００７】
具体的な構成としては、前記第２閉塞部は、上シートと下シートとを溶着する構成や、第２閉塞部を形成する上シートまたは下シートのいずれか一方の側辺に折り返し片を備えるとともに、この折り返し片を他方のシートの表面に折り返して重合させている構成を採用すればよい。
【０００８】
また、前記上シートの第１側辺または第１開放部側側辺に、切欠部を備えれば、該切欠部から被収納物または下シートを直接指等で押さえることで上シートと下シートまたは被収納物とが互いに離間し、上シートを摘むことが可能になるので、上シートと下シートまたは被収納物との開放を容易にする。
【０００９】
前記上シートまたは下シートのうち一方のシートは、他方のシートの前記第１側辺または第２側辺よりも外側領域に突出する突出領域を備える構成を採用すれば、ホルダ内に収納する際に、被収納物の一端を前記突出領域に押し当てることが可能になり、これにより重なり合っている上シートと下シートとが互いに離間し、第１開放部と第２開放部とが開放しやすくなることで、収納のしやすさを向上できる。
【００１０】
また、上シートが下シートに重合した状態を維持させるために、または、ホルダ内の被収納物が前記第１開放部から不意に脱落することを防止するためには、前記上シートまたは下シートの第１側辺にフラップ片を設けるとよい。
【００１１】
前記フラップ片を、前記下シートの第１側辺に設けておけば、該フラップ片の自由端側が、上シートの上に重なることが可能な構成となり、上シートから離間させるための捲り上げる操作を容易にするとともに、下シートとフラップ片との間に上シートを難なく収めることができる。
【００１２】
さらに、前記フラップ片は、前記下シートの第１側辺と第２側辺とでなす角部から配置されているとともに、前記第１開放部に沿って伸びる形状を採用すれば、前記第１開放部を閉じた姿勢を効果的に維持することが可能である。
【００１３】
【発明の実施の形態】
以下、本発明の一実施形態を、図面を参照して説明する。図１は、本実施形態に係るホルダの概略斜視図、図２は、本実施形態に係るホルダの正面図、図３は、本実施形態対に係るホルダの展開図である。このものは、被収納物を収納するための袋状の収納領域を備えるホルダで、被収納物として主に紙葉類を収納するためのものである。
【００１４】
ホルダ１は、例えば、透光性を備える薄物シートを２枚厚に折り重ねて形成されているものであり、略矩形状の上シート１０と上シート１０に連なる下シート２０に別途製造するフラップ片６とを接合させることで、後述する開放部と閉塞部とを備えさせるものである。
【００１５】
上シート１０は、互いに隣接する位置において直交する上シート第１側辺１１及び上シート第２側辺１２と、前記上シート第２側辺１２に隣接する位置において直交する閉塞側辺１６´と前記閉塞側辺１６´に隣接する位置において直交する上シート閉塞側辺１６とで構成されている。前記上シート第２側辺１２は、第２開放部５を形成する上シート第１開放部側側辺１３と第２閉塞部３を形成する上シート反第１開放部側側辺１４とで構成されている。また、上シート第１開放部側側辺１３の適宜箇所に、略半円状の切欠部１５を切り欠きにより備えている。
【００１６】
下シート２０は、互いに隣接する位置において直交する下シート第１側辺２１及び下シート第２側辺２２と、前記下シート第２側辺２２に隣接する位置において直交する閉塞側辺２６´と前記閉塞側辺２６´に隣接する位置において直交する下シート閉塞側辺２６とで構成されている。前記下シート第２側辺２２は、第２開放部５を形成する下シート第１開放部側側辺２３と第２閉塞部３を形成する下シート反第１開放部側側辺２４とで構成されている。また、前記上シート閉塞側辺１６´と下シート閉塞側辺２６´とは一致し、上シート１０と下シート２０との境界となり、後述する所定の折り畳みにより閉塞部を形成する。
【００１７】
次に、本実施形態のホルダ１の構造及びその動作について説明する。
【００１８】
ホルダ１は、１枚の略矩形状シートＳを上シート閉塞側辺１６´（下シート閉塞側辺２６´）にて２枚厚に折り畳んで設けられた上シート１０と下シート２０とで形成される。このとき、前記下シート２０は、下シート閉塞側辺２６´の反対側に若干突出する突出領域２４を設けるように、上シート閉塞側辺１６´（下シート閉塞側辺２６´）の位置を設定するとよい。また同時に、上シート第１側辺１１と下シート第１側辺２１とで、上シート第１側辺１１が全長に亘って開放可能な第１開放部４が形成される。
【００１９】
２枚厚となった上シート１０と下シート２０は、上シート閉塞側辺１６の全長に亘って、上シート閉塞側辺１６と下シート閉塞側辺２６とを接合させて形成する閉塞部と、前述した２枚厚に折り畳んで形成された閉塞部とで第１閉塞部２を形成する。また、上シート反第１開放部側側辺１４と上シート反第１開放部側側辺１４に連続する縁辺１４´と、下シート反第１開放部側側辺２４と下シート反第１開放部側側辺２４に連続する縁辺２４´とを接合させる。すなわち、上シート１０の上シート閉塞側辺１６に対向する側辺全長と、下シート２０の下シート閉塞側辺２６に対向する側辺全長とを溶着する。この後、第１開放部４に隣接する第２開放部５を形成するために、前記上シート反第１開放部側側辺１４に連続する縁辺１４´と下シート反第１開放部側側辺２４に連続する縁辺２４´とで溶着された部分を切り落とす。具体的には、例えば、上シート第２側辺１２全長における約１／４から１／２の寸法で、第１閉塞部２に隣接する第２閉塞部３として形成するとともに、他方、第１開放部４側の約３／４から１／２に相当する寸法の領域を、略台形形状に切り落とすことで、上シート第１開放部側側辺１３と下シート第１開放部側側辺２３とで形成する第２開放部５を設ける。なお、本実施形態では、第２閉塞部３と前記切り落とした部分との境界領域においては、わずかであるが第１閉塞部２の直交する２側辺に同時に対向するように曲線形状をなしている。さらに、略台形状のフラップ片６を、前記下シート第１側辺２１に接合させている。具体的には、フラップ片６の基部６１となる縁辺と前記下シート第１側辺２１とを溶着している。前記フラップ片６は、前記フラップ片の基部６１の一方の端部位と、前記下シート第１側辺２１と下シート第２側辺２２とで形成する角部とを一致させるようにして配置されているとともに、該角部から前記第１開放部４に沿って伸びる略台形形状としている。フラップ片６は、上シート１０の上シート第１側辺１１を略覆うために必要な面積を有している。図２にあらわされているように、第２開放部５側の上シート第１側辺１１を略覆うことができる面積を有していることで、上シートの不意な開放や、第１開放部４から被収納物の不意な脱落を防止しうる。なお、本実施形態で言う接合は、例えば、溶着、縫合、接着等の方法を含む概念である。
【００２０】
次に、本実施形態に係るホルダ１に、被収納物を出し入れする動作について説明する。図２に示すように、下シート２０に上シート１０が、上シート１０にフラップ片６が重なり合っている状態から、まず、フラップ片６の基部６１と反対側の自由端側を捲り上げながら、上シート１０の切欠部１５周辺の部位を摘み上げることで、上シート１０と下シート２０を離間させるようにして第１開放部４と第２開放部５とを開放させる。この開放された状態にあるときに、上シート閉塞側辺１６、１６´と下シート閉塞側辺２６、２６´とで形成する第１閉塞部２と、上シート反第１開放部側側辺１３と下シート反第１開放部側側辺２３とで形成する第２閉塞部３とで成る収納領域に被収納物を入れたり、あるいは前記収納領域から収納されている被収納物を出したりすればよい。特に、被収納物が紙葉類のような薄物の場合、フラップ片６を捲り上げた状態のときに、前記被収納物の一端を前記突出領域２４に突き当てながら収納領域に滑らせるように前記上シート１０と下シート２０との間に差し込めば、難なく被収納物をホルダ１内に収納することが可能である。また、ホルダ１内の被収納物が積層されている紙葉類であるならば、この開放された状態にあるときに、紙葉類を１枚ずつ捲り、枚数を数えるようにして記載内容等を難なく確認することができる。所定の収納状態にするには、図２にあらわされているように、下シート２０に上シート１０を、さらに上シート１０にフラップ片６を重ね合わせるようにすればよい。フラップ片６は、上シート１０の不意な開放を規制するとともに、被収納物がホルダ１内に収納されている場合でも、第１開放部４から収納物が不意に脱落することを防止することができる。
【００２１】
なお、本発明は、以上に示した以外にも、種々変形が可能である。
【００２２】
例えば、本実施形態を変形した例として、図４ないし図５に示すホルダ１のように、第２閉塞部３の構成を変えたものであり、上シート１０の第２閉塞部３を形成する部位に折り返し片１７を略矩形状に延接させたものである。この場合、上シート１０と下シート２０とを含む略矩形状シートＳを、上シート反第１開放部側側辺１４と下シート反第１開放部側側辺２４とを一致させるようにして２枚厚に折り畳んだ後、前記折り返し片１７を下シート２０の表面に折り返して重合させて、折り返し片１７の自由端側縁辺を下シート２０に接合させる要領で第２閉塞部３を形成するものである。また、切欠部１５は、適宜形状を変形できるもので、本実施形態では、例えば、長方形状の形状を採用しているものである。また、第１開放部４における上シート１０または下シート２０の一方のシートの外側領域に、突出領域を備えさせることも可能である。
【００２３】
以上のように、本実施形態では、略矩形の上シート１０と下シート２０とを重ね合わせ、上シート１０の直交する上シート閉塞側辺１６、１６´は、下シート２０の直交する下シート閉塞側辺２６、２６´とで第１閉塞部２を形成し、上シート１０の上シート第１側辺１１と上シート第２側辺１２は、第１開放部４を形成するとともに、上シート１０の上シート第２側辺１２と下シート第２側辺２２とで第２開放部５とを形成するホルダ１であって、前記上シート１０の第１側辺１１と下シート２０の第１側辺２１は、全長が開放された第１開放部４を形成し、前記上シート第２側辺１２における第１開放部４側が開放される上シート第１開放部側側辺１３と、下シート第２側辺２２における下シート第１開放部側側辺２３とで第２開放部５を形成するとともに、上シート反第１開放部側における上シート反第１開放部側側辺１４と、下シート第２側辺２２における下シート反第１開放部側側辺２４とで第２閉塞部３を形成する構成を採用している。このような構成にすれば、簡易な構成により、ホルダ１への被収納物の出し入れ時に上シート１０を開放可能な構成を備えながら、第２閉塞部３を設けることができ、上シート１０の不意な開放を規制することができ、さらに、ホルダ内に収納されている被収納物の不意な脱落を防止することができる。
【００２４】
好ましい構成として、前記第２閉塞部３は、上シートと下シートとを溶着する構成や、第２閉塞部３を形成する上シート閉塞側辺１４に折り返し片１７を備えるとともに、この折り返し片１７を下シート２０の表面に折り返して重合させている構成が、簡易な構成として挙げられる。
【００２５】
また、前記上シート１０の上シート第１開放部側側辺１３に、略半円形状の切欠部１５を備えれば、該切欠部１５から被収納物または下シート２０を直接指等で押さえることで上シート１０と下シート２０または被収納物とが互いに離間し、上シート１０を摘むことが可能になるので、上シート１０と下シート２０または被収納物との開放を容易にする。
【００２６】
前記下シート２０は、前記上シート１０の上シート第１側辺１１よりも外側領域に突出する突出領域２４を備える構成を採用しているので、ホルダ内に被収納物を収納する際に、特に、被収納物の一端を前記突出領域２４に押し当てながら滑らせるように前記上シート１０と下シート２０との間に差し込んでの収納が可能になり、これにより重なり合っている上シート１０と下シート２０とが容易に離間し、第１開放部４と第２開放部５とが開放しやすくなることで、収納のしやすさを向上できる。
【００２７】
また、上シート１０が下シート２０に重合した状態を維持させるために、または、ホルダ内の被収納物が前記第１開放部４からの不意な脱落を防止するために、前記下シートの第１側辺にフラップ片６を設けている。
【００２８】
前記フラップ片６は、前記下シート２０の第１側辺２１に設けておけば、前記フラップ片６を上シート１０から離間させるための捲り上げる操作を容易にするとともに、下シート２０とフラップ片６との間に上シート１０を難なく収めることができる。
【００２９】
さらに、前記フラップ片６は、前記下シート２０の下シート第１側辺２１と第下シート第２側辺２２とでなす角部から配置されているとともに、前記第１開放部４に沿って伸びる略台形形状を採用すれば、前記第１開放部４を閉じた姿勢を効果的に維持することが可能である。
【００３０】
以上、本発明の実施形態について説明したが、各部の具体的な構成は、上述した実施形態のみに限定されるものではなく、本発明の趣旨を逸脱しない範囲で種々変形が可能である。
【００３１】
例えば、前記実施形態では、上シート１０と下シート２０とが互いに連接した略矩形状シートから構成されたものであったが、上シート１０と下シート２０とが互いに独立したシートとして用意され、互いに重合させながら接合させることで構成してもよい。また、フラップ片６を別途別部材として構成したが、下シート２０に延設させるようにして、上シート１０側に折り返して構成してもよい。また、綴じ具を備えるファイルにホルダ１を綴じることが可能な態様にするために、上シート第２側辺１２と下シート第２側辺２２や上シート閉塞側辺１６、１６´と下シート閉塞側辺２６、２６´近傍に、適宜数の綴じ孔を設けることも差し支えない。さらに、例えば、第１閉塞部２の外側領域に、適宜数の綴じ孔を設けるための綴じ代形成領域を設ける構成を採用してもよい。また、前記突出領域２４は、下シート２０に設けたものであったが、上シート１０に下シート第１側辺２１から突出させて設ける構成でも構わない。また、切欠部１５の位置も、第１開放部４と第２開放部５を形成する各側辺近傍に設けることも可能である。
【００３２】
【発明の効果】
以上に詳述した本発明によれば、上シートを開放可能な構成を備えながら、簡易な構成により第２閉塞部を設けることができ、上シートの不意な開放を規制することができるとともに、さらに、ホルダ内に収納されている被収納物の不意な脱落を防止することができる。
【図面の簡単な説明】
【図１】本発明の一実施形態におけるホルダの概略斜視図。
【図２】同実施形態に係るホルダの正面図。
【図３】同実施形態に係るフラップ片を備えるホルダの展開平面図。
【図４】本発明の他の実施形態に係るホルダの概略斜視図。
【図５】同実施形態に係るフラップ片を備えるホルダの展開平面図。
【符号の説明】
Ｓ…略矩形状シート
１…ホルダ
２…第１閉塞部
３…第２閉塞部
４…第１開放部
５…第２開放部
６…フラップ片
１０…上シート
１１…上シート第１側辺
１２…上シート第２側辺
１５…切欠部
１６、１６´…上シート閉塞側辺
２０…下シート
２１…下シート第１側辺
２２…下シート第２側辺
２６、２６´…下シート閉塞側辺
【図１】
2004291370.tif 000003
【図２】
2004291370.tif 000004
【図３】
2004291370.tif 000005
【図４】
2004291370.tif 000006
【図５】
2004291370.tif 000007